(57)【要約】      （修正有）【課題】複数個のティッシュペーパー箱の連続的使用を可能とする手動昇降型のティッシュペーパー収納ケースを提供する。【解決手段】ティッシュペーパー収納箱１０が内部昇降可能なるサイズのケース本体１を設け、ケース本体上面に、ティッシュペーパーの取り出し口を有する回動蓋を設け、ケース本体内部に、ロープ４４を巻回するための昇降機構部２０と、ロープおよびティッシュペーパー収納箱の安定昇降を可能とするためのガイド体３２を有するガイド機構部を設け、昇降機構部操作のためのハンドルおよびロックレバーをケース本体外面に設け、ロックレバー操作にて、回動体の一方向回動を選択的に可能とするよう構成し、ケース本体内に複数個のプーリー４０，４１，４２とプーリーに掛け渡されるとともにロープ４４とを備えることにより、ハンドルおよびロックレバー操作にてティッシュペーパー収納箱の昇降操作および収納箱の昇降位置固定を可能にした。【選択図】図８
2016101978.tif 000002
【特許請求の範囲】
【請求項１】
ティッシュペーパー箱を収納可能なる上部開放のティッシュペーパー収納箱を設けるとともに、該ティッシュペーパー収納箱が内部昇降可能なるサイズのケース本体を設け、該ケース本体上面に、ティッシュペーパーを取り出すための取り出し口を有する回動蓋を設け、ケース本体内部にティッシュペーパー収納箱を昇降させるために、ロープを巻回するための回動体を有する昇降機構部と、ロープおよびティッシュペーパー収納箱の安定昇降を可能とするためのガイド体を有するガイド機構部を設け、該昇降機構部操作のためのハンドルおよびロックレバーをケース本体外面に設け、ロックレバーと昇降機構部を、ロックレバー操作にて、回動体の一方向回動を選択的に可能とするよう構成し、ケース本体内に複数個のプーリーと該プーリーに掛け渡されるとともにロープ固定部にその一端が他端が上記回動体に固定されたロープとを備えることにより、ハンドルおよびロックレバー操作にてティッシュペーパー収納箱の昇降操作および該収納箱の昇降位置固定を可能とすることにて、ケース本体内のティッシュペーパー箱の連続的使用を可能としたことを特徴とする手動昇降型ティッシュペーパー収納ケース。
【発明の詳細な説明】
【技術分野】
【０００１】  この発明は、所定のケース内に複数個積層収納したティッシュペーパーを手動にて上方移動させて連続的に使用することのできるティッシュペーパー収納ケースに関する。
【背景技術】
【０００２】  従来より、ティッシュペーパーは多用されているが、本発明にて示すような手動昇降型のティッシュペーパー収納ケースは見当たらない。
【発明の概要】
【発明が解決しようとする課題】
【０００３】  ティッシュペーパーは日常的必需品として多方面に用いられている。一般的には直方体形状の箱内に多数枚が積層収納され、箱上面に設けた孔より一枚ずつ取り出して用いている。ティッシュペーパーの使用頻度の高い場合は、すぐになくなるのでその都度新しいティッシュペーパーを用意しなければならず、そのために、使用中のティッシュペーパーとは別に、多数個のティッシュペーパーを準備保管しておく必要がある。とくに入院患者はこのティッシュペーパーを多く使うことが多々あるが、箱内のティッシュペーパーを管理して、なくなればすぐに補充しなければならず、人手を煩わせることになる。
本発明は以上に鑑み、複数個のティッシュペーパーの保管と昇降をさせる機能を設けることにて、前記の課題を解決できる新規かつ有用なる手段を得ることを目的として発明されたものである。
【課題を解決するための手段】
【０００４】  課題を解決する手段として本発明は以下の構成とした。
すなわち、ティッシュペーパー箱を収納可能なる上部開放のティッシュペーパー収納箱を設けるとともに、該ティッシュペーパー収納箱が内部昇降可能なるサイズのケース本体を設け、該ケース本体上面に、ティッシュペーパーを取り出すための取り出し口を有する回動蓋を設け、ケース本体内部にティッシュペーパー収納箱を昇降させるために、ロープを巻回するための回動体を有する昇降機構部と、ロープおよびティッシュペーパー収納箱の安定昇降を可能とするためのガイド体を有するガイド機構部を設け、該昇降機構部操作のためのハンドルおよびロックレバーをケース本体外面に設け、ロックレバーと昇降機構部を、ロックレバー操作にて、回動体の一方向回動を選択的に可能とするよう構成し、ケース本体内に複数個のプーリーと該プーリーに掛け渡されるとともにロープ固定部にその一端が他端が上記回動体に固定されたロープとを備えることにより、ハンドルおよびロックレバー操作にてティッシュペーパー収納箱の昇降操作および該収納箱の昇降位置固定を可能とすることにて、ケース本体内のティッシュペーパー箱の連続的使用を可能とする。
本発明は以上の構成よりなる手動昇降型ティッシュペーパー収納ケースである。
【発明の効果】
【０００５】  本発明は下記の効果を有する。
１．ケース本体内に複数のティッシュペーパーが積層されて位置し、このティッシュペー  パーをハンドル回動にて昇降させることができるので、連続的にティッシュペーパーを  長期間にわたって使用することができる。
２．ロープ吊下とガイド機構によるティッシュペーパー昇降のため、ケース本体内のティ  ッシュペーパーを安定スムースに移動させることができる。
３．ケース本体を透明とすることで、収納ティッシュペーパー量を容易に視認することが  できる。
４．回動体のロック機構を有しているので、最上位置のティッシュペーパー位置を保持さ  せることができる。
【図面の簡単な説明】
【０００６】
【図１】  本発明の平面図
【図２】  本発明の正面図
【図３】  本発明の右側面図
【図４】  本発明の要部機構説明図（平面視）
【図５】  本発明の要部機構説明図
【図６】  本発明の要部機構説明図
【図７】  本発明の要部機構説明図
【図８】  本発明の全体構造説明図（背面視）
【発明を実施するための最良の形態】
【０００７】  以下、本発明の実施形態について説明する。
図において、１はケース本体で、着色透明合成樹脂板による上部開放の中空箱体である。
２は回動輪で、適宜支持部材にてケース本体下面に四個取り付けられる。
３は上板で、ケース本体上縁前部に固着され、ケース本体上方開口部の一部を塞いで位置する。４は回動蓋で、その中央には略楕円形の開口による取り出し口５が形成され、この回動蓋の一端は前記上板端に蝶番にて回動による開閉可能に設けられ、これらの上板と回動蓋にてケース本体の上面が覆われる。
７は湾曲金属体による持ち手で、ケース本体側方に一対が螺着される。８は昇降ハンドルで、ケース本体前面に回動可能に突設軸支される。９はロックレバーで、ケース本体前面に突設軸支される。１０はティッシュペーパー収納箱である。このティッシュペーパー収納箱は、合成樹脂製の上部開放有底の中空体であって、ティッシュペーパー箱が収納可能なサイズに形成され、一方の側面は下方に伸延して、後述のプーリーおよびガイド機構部が取り付けられる。【０００８】  ２０は昇降機構部である。これは以下のごとく構成される。
２１は金属製の回動体保持体で、対向する長方形平板を３本の適宜支持部材にて平行に位置させて形成され、ケース本体内前部に螺着固定される。２２は略円柱形の回動体で、前記昇降ハンドルに軸支される。この回動体の一側面には、その外周に歯を有する歯板２３が取り付けられる。この歯板の歯は、図７にて示すように、ケース本体背面視において、左方の傾斜角を大に右方の傾斜角を小に連続形成される。２４は回動軸で、回動体保持体に対し回動可能に設けられ、この回動軸は前記のロックレバーに接続される。
２５はロックアームで、歯板厚に近似の厚さを有する細長小板体であって、その一端は回動軸に固定され、他端は図７にて示すように、下向きの先鋭部２６を有しており、この先鋭部は歯板の歯にかみあうサイズであり、その自重にて歯間に軽く押圧接触している。
従って、ハンドルの回動にて回動体は回動するが、ロックレバーの回動にてロックアームの先鋭部が歯板の歯にかみあった場合、回動体は一方向のみの回動が可能となり、ロックアームが歯板より外れると、回動体は左右いずれの方向へも回動が可能となる。【０００９】  ３０はガイド機構部である。これは以下の構成による。
３１はガイド体固定板で、ケース本体内面前方に固着されるケース本体上縁から下縁に至る平面視略Ｔ形の細長板体である。３２は金属成形板によるガイド体で、前記のガイド体固定板と同長の平面視略コ字形板体であって、図４のごとくガイド体固定板に固定される。
３３は基板で、前記のティッシュペーパー収納箱側面に取り付けられる小板体である。３４は突片で、基板に直角に突設される小板体、３５は基板に斜方突設される小板体よりなる斜方突片である。これらの突片には小径のラジアルベアリング３６および３７が各々回動可能に上下に複数個が軸支される。図４にて示すように、これらのベアリングはガイド体内面に接して位置し、ティッシュペーパー収納箱の昇降時において、該収納箱の昇降安定の役割を有している。【００１０】  ４０はケース内面前部上方に軸支される第一プーリー、４１は第一プーリー近傍にて同様に設けられる第二プーリー、４２はティッシュペーパー収納箱側面に軸支される第三プーリー、４３は第二プーリー近傍に位置するロープ固定部で、有孔の突設棒体であって、孔内にロープ端を挿通して結び留めとして用いる。４４はティッシュペーパー収納箱を昇降させるための柔軟性を有するロープである。このロープの一端は前記の回動体に固定され、回動体に巻回された後に、第一プーリーおよび第二プーリーに掛け渡され、第三プーリーに掛け渡されて上方へ伸びて、ロープ固定部にロープ端が固定される。
以上の構成から、ハンドル回動にて回動体が回動し、背面視による図８にて示すように、回動体が時計回りに回動したとき、ロープ長は短方向へと移動するために、ティッシュペーパー収納箱はケース本体内を上昇する。また、ハンドルを反時計方向に回動すると、ティッシュペーパー収納箱は下降する。この回動体の回動時において、ロックレバー操作にてロックアームの先鋭部を歯板の歯にかみあわせた場合、背面視において歯板が時計方向回りのときは歯は先鋭部を滑って回動体はそのまま回動が可能であるが、反時計方向回りのときには、歯の傾斜角が急であるために、回動体の回動は阻止される。つまり、ティッシュペーパー収納箱の昇降を任意の位置に保つことが可能となる。また、ティッシュペーパー収納箱側面には、記述のごとくガイド機構部が備えられており、ティッシュペーパー収納箱の水平を保ったまま滑らかに昇降させることができる。このティッシュペーパー収納箱は複数のティッシュペーパー箱を積層保持させることができる。
なお、本例ではプーリーからのロープ脱落防止のためのガイド棒４５〜５０を各プーリーに近接して本体内面前部およびティッシュペーパー収納箱側面に内方突設している。
また、ガイド体内面における上縁と下縁近傍にはティッシュペーパー収納箱の可動範囲を制限するための円柱状のストッパー５１および５２が突設される。【００１１】  次に、本発明の使用について説明する。
使用に際しては、まず、ケース本体を床面その他水平面上に置いて、回動蓋を開ける。
ロックレバーを回動させてロックアームの先鋭部を歯板の歯に係合させ、ハンドルを背面視において時計方向に回すと、ロープは回動体に巻き取られるためにロープ露出長は短くなってティッシュペーパー収納箱はガイド体に沿って上昇する。
適宜位置にてハンドル回動を停止する。このとき、ロックアームにて回動体の背面視における反時計方向の動きは阻止されるために、ティッシュペーパー収納箱の昇降位置は保持されている。
この状態において、ティッシュペーパー収納箱内にティッシュペーパー箱を入れ、さらにその上にティッシュペーパー箱を積み上げていく。ロックレバーを逆に回動させるとロックアームの先鋭部は歯板の歯より離脱するので、ハンドル操作にてティッシュペーパー収納箱を下降させることができる。【００１２】  最上部のティッシュペーパー箱がケース本体上縁よりやや下方となるよう調整し、ティッシュペーパー箱からティッシュペーパーをつまみ出せるようにセットし、再びロックレバーを回して先鋭部を歯板に係合させてハンドルを回し、ティッシュペーパー箱の上縁がケース本体の上縁に近似の位置とし、回動蓋を閉として、ティッシュペーパーを回動蓋の取り出し口より上方露出させる。以上でセッティングは完了し、使用者はティッシュペーパーをつまみ出して使用することができる。
最上位置のティッシュペーパー箱が空になったときは、回動蓋を開いてその空のティッシュペーパー箱を取り去り、ハンドル操作にてティッシュペーパー箱を上昇させて、既述の手段にて再び新しいティッシュペーパーを使用することができ、ケース本体内のティッシュペーパー箱が空になるまで継続的にティッシュペーパーを用いることができる。
すべてのティッシュペーパー箱を使い切ったときは、当初に記した手順にて再セットを行い、同様に使い続けることができる。なお、ケース本体下面には回動輪が位置しているので、好みの場所に本品を容易に移動させることができ、かつ、ケース本体外面には持ち手があるので、その運搬も容易である。【００１３】  以上、本発明について記したが、本発明は手動昇降にてケース内のティッシュペーパー箱を最上位置にセットして、ティッシュペーパーを使い続けるところにその特徴を有するものであり、ティッシュペーパーを多量消費する場合に特に有効なものである。
本発明にて特徴的な要素としては、ティッシュペーパー収納箱の昇降機構とガイド機構がある。昇降機構においては、ロープを巻回した回動体の回動にて、各プーリーに掛け渡されたロープ長を可変として、ティッシュペーパー収納箱の昇降を行い、また、ロックアームと歯板との組み合わせにて、回動体の一方向のみの回動限定を選択的に行うことができる特徴がある。ガイド機構においては、ガイド体固定板を介して略コ字形のガイド板をケース本体内の上下に位置させて、ティッシュペーパー収納箱に基板を介して各突片を位置させ、この突片にベアリングを軸支して、ガイド板に接して転動する複数個のベアリングにてティッシュペーパー収納箱のスムースな安定昇降を可能としている。【００１４】  既述のごとく、突片に軸支されたベアリングの一方は基板に対し直角方向に位置するとともに、ベアリングの一端は図４にて示すように、ガイド体の斜方折曲部分内面に接触し、他端はガイド体の平面部分に接している。また、斜方突片に軸支されたベアリングの一端はガイド体の斜方折曲部分内面に接し、他端はガイド体の平面部分に接触している。
これらのベアリングの配置にて、ティッシュペーパー収納箱はがたつくことなくその水平を保ちつつ昇降することとなる。すなわち、図４において、基板が上方向へずれようとするときは、直交と斜方双方のベアリングにて阻止され、下方向へずれようとするときも同様である。左方向へ移動しようとすると、直交のベアリングにて阻止され、右方向へ移動しようとすると斜方のベアリングにて阻止される。従って、平面視におけるいずれの方向への基板移動つまりティッシュペーパー収納箱の水平方向移動は阻止される。直交と斜方の双方のベアリング配置にてこれが可能となり、ベアリング取り付け位置の調整にて、がたつくことなくスムースな昇降移動を可能としたのである。【００１５】  なお、ケース本体を着色透明とすることで、ケース本体内のティッシュペーパー箱数の視認が容易となり、また、適宜選色にて視覚上も品位のある良好なものとすることができる。また、ティッシュペーパー収納箱底面に適宜径の孔を設けることにて、該収納箱内の雑物を落下させることができる。ケース本体は、収納しようとするティッシュペーパー箱数に合わせて適宜にサイズ設計をすることができる。なお、既述の例は実施形態の一例であって、近似の他の構成とすることができる。
以上のごとく、本発明によって多数のティッシュペーパーを連続的に使用することのできる有用なる手段を得ることができる。
【符号の説明】
【００１６】１  ケース本体
２  回動輪
３  上板
４  回動蓋
５  取り出し口
７  持ち手
８  昇降ハンドル
９  ロックレバー
１０  ティッシュペーパー収納箱
２０  昇降機構部
２１  回動体保持体
２２  回動体
２３  歯板
２４  回動軸
２５  ロックアーム
２６  先鋭部
３０  ガイド機構部
３１  ガイド体固定板
３２  ガイド体
３３  基板
３４  突片
３５  斜方突片
３６  ラジアルベアリング
３７  ラジアルベアリング
４０  第一プーリー
４１  第二プーリー
４２  第三プーリー
４３  ロープ固定部
４４  ロープ
４５  ガイド棒
４６  ガイド棒
４７  ガイド棒
４８  ガイド棒
４９  ガイド棒
５０  ガイド棒
５１  ストッパー
５２  ストッパー
６０  ティッシュペーパー箱
【図１】
2016101978.tif 000003
【図２】
2016101978.tif 000004
【図３】
2016101978.tif 000005
【図４】
2016101978.tif 000006
【図５】
2016101978.tif 000007
【図６】
2016101978.tif 000008
【図７】
2016101978.tif 000009
【図８】
2016101978.tif 000010